(57)【要約】【課題】この発明は、磯または防波堤などの釣方で技術的に難しいダンゴの遠投が簡単に出来るようにウキに乗せて運び遠投を可能とし、初心者でも扱え、そして特にウキにダンゴを包み易く、またハリスの糸絡みの心配もいらず、夜間でも使用し易いダンゴ遠投のウキを提供するものである。【解決手段】    中通しのウキ（１）の周囲から下部の位置に、ダンゴを包む形状の固定枠（３）と弾力部（５）を有するダンゴを包む形状の開閉枠（２）を取り付けた、そして開閉枠（２）と、固定枠（３）または  中通しのウキ（１）の固定枠側に糸通し部（４）を形成した、その他、固定枠（３）と開閉枠（２）の間に糸（６）あるいは開閉アーム（７）を取り付けて糸通し部（４）を形成した。【選択図】  図１
2007117067.tif 000002
【特許請求の範囲】
【請求項１】
中通しのウキ（１）の周囲から下部の位置に、ダンゴを包む形状の固定枠（３）と弾力部（５）を有するダンゴを包む形状の開閉枠（２）を取り付けた、そして開閉枠（２）と、固定枠（３）または中通しのウキ（１）の固定枠側に糸通し部（４）を形成した、その他、固定枠（３）と開閉枠（２）の間に糸（６）あるいは開閉アーム（７）を取り付けて糸通し部（４）を形成したことを特徴とするダンゴ遠投ウキ３。
【請求項２】
固定枠（３）の代わりに弾力部（５）を有するダンゴを包む形状の開閉枠（２）を取り付け、そしてそれぞれの開閉枠（２）に、糸通し部（４）を形成した、または開閉枠（２）と開閉枠（２）の間に糸（６）あるいは開閉アーム（７）を取り付けて糸通し部（４）を形成した請求項１のダンゴ遠投ウキ３。
【発明の詳細な説明】
【技術分野】
【０００１】  この発明は、磯または防波堤などの釣方で技術的に難しいダンゴの遠投が簡単に出来るようにウキに乗せて運び遠投を可能とし、初心者でも扱え、そして特にウキにダンゴを包み易く、またハリスの糸絡みの心配もいらず、夜間でも使用し易いダンゴ遠投のウキに関するものである。
【背景技術】
【０００２】  従来の技術では、ダンゴを手で持って投げるか、または柄杓の上に載せて投げていた。この場合の飛距離は１０メートル前後であった。また遠投しやすい柄杓も開発されている。他にはダンゴをカゴに入れて遠投する方法もあるが、カゴ仕掛けではウキとして大事な感度が悪くなった。また合わせの瞬間などはカゴの重量と水中の移動抵抗で重く鈍重感があった、よって魚釣の楽しみの一つである合わせが楽しくなかった。
従来の技術でダンゴを運ぶウキとしては、平成１６年８月２７日出願の特願２００４−２８０６０１のダンゴ遠投ウキ１と、平成１７年５月１２日に特願２００５−１６８８２１のダンゴ遠投ウキ２を出願している。
ダンゴ遠投ウキ１とダンゴ遠投ウキ２では、風が強いとハリスの糸絡みし易い欠点があった。
またもっと簡単にダンゴを包めること、そして夜間の使用がやり易いこと、そのほか初心者でも扱い易いなどが望まれた。
【発明の開示】
【発明が解決しようとする課題】
【０００３】  請求項１、
遠投ウキ２ではダンゴを包む際の動作に慣れが必要なくなり，そしてその動作を簡単に行えるようになったが、しかしもっと取り扱いが簡単なことが望まれた、よって本発明ではより簡単にダンゴを包め初心者でも扱い易いこと。
ダンゴ遠投ウキ１、ダンゴ遠投ウキ２では、風が強いとハリスの糸絡みをする欠点があったので、そのような状態でもハリスの糸絡みしずらいこと。
そして夜間でも簡単に取り扱いできて使用し易いこと。
またストッパーを無くして手返しを手早くこなすこと。【０００４】  以下、その他の課題を述べると、
ダンゴ放出の際、本発明に引っ掛からず、ダンゴの形状をラフに作ってもダンゴ放出ができるようにすること。
一般に使用するダンゴにおいて、ダンゴの大きさは様々あるが、一般使用のダンゴの大きさにおいて、その個人差の大小を許容して包め、包んだダンゴを遠投し放出できること。
またダンゴを包み遠投体勢にてダンゴが落ちず、遠投後に空中で、確実に放出できること。そしてウキの位置をスピーデーに確認できること。
またネットを使用せず形状をより簡素化すること。
以上の他、ダンゴを柄杓の上に載せて投げても届かないポイントに、ウキに載せて釣竿の弾力で投げ込めること。
それは個人差にもよるが２０メートルから３０メートル前後の飛距離を可能とすること。
魚の視界から遠い空中でダンゴを放出して、魚に警戒されず、餌のくい込みをよくすること。
フカセウキに近い感覚が望めて、合わせを楽しみながら釣ができること。【０００５】  請求項２では、請求項１と同様の課題解決ができること。
また請求項１よりダンゴが包み易いこと。
【課題を解決するための手段】
【０００６】  本発明は上記課題を解決する為のもので、請求項１では、
中通しのウキ（１）の周囲から下部の位置に、ダンゴを包む形状の固定枠（３）と弾力部（５）を有するダンゴを包む形状の開閉枠（２）を取り付けた、そして開閉枠（２）と、固定枠（３）または中通しのウキ（１）の固定枠側に開閉作用する為の糸通し部（４）を形成した、その他、固定枠（３）と開閉枠（２）の間に糸（６）あるいは開閉アーム（７）を取り付けて開閉作用する為の糸通し部（４）を形成した。【０００７】  請求項２では、
固定枠（３）の代わりに弾力部（５）を有するダンゴを包む形状の開閉枠（２）を取り付け、そしてそれぞれの開閉枠（２）に、開閉作用する為の糸通し部（４）を形成した、または開閉枠（２）と開閉枠（２）の間に糸（６）あるいは開閉アーム（７）を取り付けて開閉作用する為の糸通し部（４）を形成した。
【発明の効果】
【０００８】  請求項１、
本発明ではダンゴ遠投ウキ２よりも取り扱いが簡単にできるようになったので、初心者でも簡単にダンゴを包めるようになり扱い易くなった。そして人間の能力に関係なくダンゴ遠投、放出が出来て人に優しい製品ができた。
風が強い状態でもハリスの糸絡みがしずらくなった。またそのことでハリスをより長く取れた。
ストッパーがないのでそれを掛ける必要がなく手返しを手早くこなすことができた。
そして夜間でもストッパーがないのとハリスの糸絡みがしずらくなったので簡単に取り扱いできて使用し易くなった。【０００９】    以下、その他の効果を述べると、
ダンゴ放出の際、本発明に引っ掛からず、ダンゴの形状をラフに作ってもダンゴ放出ができるようになった。
またネットを使用せず形状をより簡素化することができた。
ダンゴを柄杓の上に載せて投げても届かないポイントに、ウキに載せて釣竿の弾力で投げ込め個人差にもよるが２０メートルから３０メートル前後の飛距離が可能となった。
魚の視界から遠い空中でダンゴを放出して、魚に警戒されず、餌のくい込みをよくできた。
フカセウキに近い感覚が望めて、合わせを楽しみながら釣ができた。
そしてダンゴを空中で放出するので、ウキの位置をスピーデーに確認できた。よって特に夕方扱い易くなった。
一般に使用するダンゴの大きさに個人差で大小があっても、極端な大きさでなければ、その全てを許容してダンゴを包むことができた。そしてそのダンゴを放出できるようになった。またダンゴを包み遠投体勢にてダンゴが落ちず、遠投後に空中で、確実に放出できた。【００１０】  請求項２では、
請求項１と同様の課題解決ができた。
また開閉枠のみを使用しているので、ダンゴに上から被せる際に開閉枠を開けられるので被せ易くなり、結果としてダンゴをより包み易くなった。
【発明を実施するための最良の形態】
【００１１】  以下、本発明の構造について説明する。
請求項１では、構造を  図１、図３、図４に示すように、
中通しのウキ（１）の周囲から下部の位置に、ダンゴを包む形状の固定枠（３）と弾力部（５）を有するダンゴを包む形状の開閉枠（２）を取り付けた、そして開閉枠（２）と、固定枠（３）または中通しのウキ（１）の固定枠側に開閉作用する為の糸通し部（４）を形成した、その他、固定枠（３）と開閉枠（２）の間に糸（６）あるいは開閉アーム（７）を取り付けて開閉作用する為の糸通し部（４）を形成した。
【実施例１】
【００１２】  以下、本発明の実施例について説明する。
固定枠（３）と開閉枠（２）は合成樹脂、または金属で成形した。またウキの材質は、  木製または合成樹脂製、発泡樹脂、中空とした合成樹脂または金属で製作したが、他にも浮力を有する材質、形状であればよい。
また糸通し部（４）は道糸を通す穴で下部ウキ止めが止まる程度の穴径であり、一例を上げると、直径で１ミリから２ミリ程度でおこなった。そして合成樹脂または金属、その他セラミックなどで成形したが、とにかくさまざまな太さの道糸が通る穴で滑りが悪くなければ形状、材質は問わない。
図１、図１２に示すように
取り付け位置は固定枠（３）と開閉枠（２）のダンゴを包んだときにその上部にくる位置に取り付けた。また固定枠（３）と開閉枠（２）とで段違いとなるように設けたところ道糸の通りが良くなった。
または、図１９に示すように
開閉枠（２）に糸通し部（４）を設けて、固定枠（３）のほうは、固定枠（３）に直接付けず、中通しのウキ（１）の固定枠（３）側に取り付けても同様の効果があった。【００１３】  図７で示すように、開閉枠（２）の弾力部（５）は、ゴム製とした。
または、図５に示すように、柔軟性のある合成樹脂とした。
その他、図６で示すように、弾力部（５）は開閉枠（２）にバネ弾力部（１０）を付けても効果は同様であった。また弾力部（５）は微かに弾力を有していれば、どのような形態、材質でも良い。【００１４】  図２０で示すように、開閉枠（２）と固定枠（３）の中通しのウキ（１）への取り付け形態は、ダンゴを包む状態で隙間がでるように取り付けた。
図７に示すように固定枠（３）の中通しのウキ（１）への取り付けは、一例を上げると、中通しウキ（１）が木製等では中通しのウキ（１）に穴を設けて挿入、接着して固定した。
また開閉枠（２）の中通しのウキ（１）への取り付けは、木製等では中通しのウキ（１）に穴を設けて元杭（１４）を挿入接着して固定した。そして弾力部（５）となるゴム管（１５）を挿入、そしてそこへ開閉枠（２）を差し込み固定した。
または、図８に示すように、元杭（１４）を使用せず中通しのウキ（１）へ直接、ゴムバー（１６）を挿入しそこへ開閉枠（２）を差し込み固定した。
また弾力部（５）は柔軟性のある合成樹脂とした場合にも同様に取り付けられる。
他に、図９に示すように、バネ弾力部（１０）とした場合にも同様に取り付けられる。
なお、取り付け方法はこれに限定されない。
【実施例２】
【００１５】  図１０に示すように、中通しのウキ（１）を中空とした合成樹脂または金属で製作した場合、中通しのウキ上部（１９）とウキ下方部に似せた下部取り付け体（９）を形成し、下部取り付け体（９）に開閉枠（２）を製作するため元杭（１４）を挿入する穴を設け、挿入し接着剤で固定した。そして弾力部（５）となるゴム管（１５）を挿入、そしてそこへ開閉枠（２）を差し込み固定した。
または、元杭（１４）を使用せず下部取り付け体（９）へ直接、ゴムバー（１６）を挿入しそこへ開閉枠（２）を差し込み固定した。
固定枠（３）は下部取り付け体（９）に穴を設け挿入し接着剤で固定した。または図１０に示すようにビス止めし固定した。
以上のように各部を取り付け、中通しウキ上部（１９）は下部取り付け体（９）に挿入し接着材で固定した。
以上取り付け例をあげたが、取り付け方法は様々あるので、これに限定されない。【００１６】  以下、作用を述べる、
本発明を使用するにあたり仕掛け及び仕掛け取り付けについて、
図１１に示すように、本発明の仕掛けは、一般には誘導式仕掛けで、仕掛けの順番は、道糸（１２）に上から上部浮き止め（１１）、シモリ玉（１３）、そして本発明の中通しのウキ（１）、それから固定枠（３）の糸通し部（４）、そして開閉枠（２）の糸通し部（４）を通し、下部浮き止め（８）を付けて、そこから３０センチ以上離し釣針（１７）をつける。【００１７】  本発明を使用するときは、
図１２に示すように、本発明を下部浮き止め（８）の位置まで下げる、釣針に付け餌をつけダンゴに入れる、そしてダンゴを下に置き開閉枠（２）を開いて本発明を上から被し、空いているほうの手で道糸を張ると下部の糸通し部（４）で下部浮き止め（８）が留まっているので、そのまま道糸を張っていくと開閉枠（２）がダンゴ方向へ寄り固定枠（３）との間に固定される。これでダンゴと本発明を吊り下げられそのまま道糸を張った状態で竿を持って，リールを投げの状態に設定して竿の弾力を利用して投げる。【００１８】そして本発明はダンゴを包んだ状態で中通ウキ（１）を後端にした姿勢で飛ぶ。
図１４に示すように、その後本発明は着水に向う、その少し手前でリールより出ていた道糸の勢いが止まり道糸は弛む、その状態で開閉枠（２）と固定枠（３）とでダンゴを抑え固定した力が、開閉枠（２）が作用して緩み開く、そして固定枠（３）との間に隙間ができる、すると本発明とダンゴはこの時、威勢がついていたものから失速の状態となり、それぞれの失速の状態が異なるのと風の抵抗で、本発明とダンゴが分かれ飛び出たような状態で放出される。
着水すると、ダンゴは魚の居る棚に沈み、本発明は道糸をスライドしシモリ玉（１３）を介して上部ウキ止め（１１）に係り水面を漂う。
ダンゴがバラケ終わると、魚が付け餌を食べてウキ本体（１）に反応がでる。
魚の当たりが無ければ、リールを巻いて本発明を上げて同じ動作を繰り返す。【００１９】  以上のように本発明は、ストッパーを付けていないのと、上から本発明を被せるだけでダンゴを固定できるので、取り扱いが簡単にできるようになった、よって初心者でも簡単にダンゴを包めるようになり扱い易くなった。そして動作に慣れが必要なくなった。
本発明では、ダンゴを吊るした際に、本発明が反転していないので、ハリスは下方にあり風が強い状態でもハリスの糸絡みがしずらくなった。またそのことでハリスをより長く取れ、そのことで釣果により結びつく。
夜間でもストッパーがないのと、ダンゴを吊るした際に、本発明が反転していないので、ハリスは下方にありハリスの糸絡みがしずらく簡単に取り扱いできて使用し易くなった。
そしてストッパーがないので、それを掛ける手間がなくなり、手返しを手早くこなすことができた。【００２０】    以下、その他の効果を述べると、
ダンゴ放出の際、本発明に引っ掛からず、ダンゴの形状をラフに作ってもダンゴ放出ができるようになった。
またネットを使用せず形状をより簡素化することができた。
ダンゴを柄杓の上に載せて投げても届かないポイントに、ウキに載せて釣竿の弾力で投げ込め個人差にもよるが２０メートルから３０メートル前後の飛距離が可能となった。
魚の視界から遠い空中でダンゴを放出して、魚に警戒されず、餌のくい込みをよくできた。
フカセウキに近い感覚が望めて、合わせを楽しみながら釣ができた。
そしてダンゴを空中で放出するので、ウキの位置をスピーデーに確認できた。よって特に夕方扱い易くなった。
一般に使用するダンゴの大きさに個人差で大小があっても、極端な大きさでなければ、その全てを許容してダンゴを包むことができた。そしてそのダンゴを放出できるようになった。またダンゴを包み遠投体勢にて、ダンゴの重みで道糸を引いている状態で開閉枠（２）が固定されているのでダンゴが落ちず、遠投後に空中で、確実に放出できた。
また、カゴ等が装備されている状態と比較すると魚をかけた瞬間などは下部ウキ止めが下方にあるのでそこに当たらず鈍重な感覚がない。【００２１】  図１５、図１６に示すように、固定枠（３）と開閉枠（２）の間に糸（６）あるいは開閉アーム（７）を取り付けて開閉作用する為の糸通し部（４）を形成した。
これを上記したのと同様の仕掛けに通し道糸を引くと開閉枠（２）が絞まり、固定枠（３）との間でダンゴを包め、また釣竿の弾力を利用し遠投しダンゴが放出できた。
そして、このようにしても同様の効果があり、特に糸通し部（４）は一つで済み、道糸通しは簡単になった。
なお、糸（６）の材質は、合成樹脂、天然樹脂で水切れの良い物であればよい、また開閉アーム（７）は、金属、または合成樹脂で製作した。【００２２】  請求項２では、構造を  図２に示すように、
固定枠（３）の代わりに弾力部（５）を有するダンゴを包む形状の開閉枠（２）を取り付け、そしてそれぞれの開閉枠（２）に、開閉作用する為の糸通し部（４）を形成した、または開閉枠（２）と開閉枠（２）の間に糸（６）あるいは開閉アーム（７）を取り付けて開閉作用する為の糸通し部（４）を形成した。
図２５で示すように、開閉枠（２）と開閉枠（２）を中通しのウキ（１）に取り付ける形態も請求項１と同様である。
このような構造で、請求項２では、中通しのウキ（１）、開閉枠（２）、糸通し部（４）、弾力部（５）などの材質、形状は請求項１と同様である。
また図２３、図２４で示すように、糸（６）、開閉アーム（７）などの材質、形状は請求項１と同様である。【００２３】  請求項２では、これを使用するにあたり仕掛け及び仕掛け取り付けについては、図１７に示すように、一般には誘導式仕掛けで、仕掛けの順番は、道糸（１２）に上から上部浮き止め（１１）、シモリ玉（１３）、そして本発明の中通しのウキ（１）、それから開閉枠（２）の糸通し部（４）の２ヶ所を通し下部浮き止め（８）を付けて、そこから３０センチ以上離し釣針（１７）をつける。
本発明を使用するときは、
図１３に示すように、本発明を下部浮き止め（８）の位置まで下げる、釣針に付け餌をつけダンゴに入れる、そしてダンゴを下に置き双方の開閉枠（２）を開いて本発明を上から被し、空いているほうの手で道糸を張ると下部の糸通し部（４）で下部浮き止め（８）が留まっているので、そのまま道糸を張っていくとそれぞれの開閉枠（２）がダンゴ方向へ寄りその間に固定される。これでダンゴと本発明を吊り下げられそのまま道糸を張った状態で竿をもって、リールを投げの状態に設定して竿の弾力を利用して投げる。【００２４】そして本発明はダンゴを包んだ状態で中通ウキ（１）を後端にした姿勢で飛ぶ。
図１８に示すように、その後本発明は着水に向う、その少し手前でリールより出ていた道糸の勢いが止まり道糸は弛む、その状態で開閉枠（２）と開閉枠（２）とでダンゴを抑え固定した力が、それぞれの開閉枠（２）が作用して緩み開く、すると本発明とダンゴはこの時、威勢がついていたものから失速の状態となり、それぞれの失速の状態が異なるのと風の抵抗で、本発明とダンゴが分かれ飛び出たような状態で放出される。
着水すると、ダンゴは魚の居る棚に沈み、本発明は道糸をスライドしシモリ玉（１３）を介して上部ウキ止め（１１）に係り水面を漂う。
ダンゴがバラケ終わると、魚が付け餌を食べてウキ本体（１）に反応がでる。
魚の当たりが無ければ、リールを巻いて本発明を上げて同じ動作を繰り返す。【００２５】  以上のように請求項２では、請求項１とほぼ同じように取り扱いできた。
またダンゴを包む際には、開閉枠（２）のみの使用の為、ダンゴに上から被せる際に開閉枠を開けられるので被せ易くなり、結果としてダンゴをより包み易くなった。
その他の全効果は、請求項１と同様な効果があった。【００２６】応用例として、図２１に示すように、固定枠（３）を単数と開閉枠（２）を複数付けても、または図２２に示すように、開閉枠（２）のみを複数付けて製作したが、効果は同様であった。
またこの場合、糸通し部（４）の取り付け方法は、糸（６）あるいは開閉アーム（７）を取り付けたほうが使用しやすかった。
【図面の簡単な説明】
【００２７】
【図１】  本発明、請求項１の斜視図
【図２】  本発明、請求項２の斜視図
【図３】  本発明、請求項１の正面図
【図４】  本発明、請求項１の左側面図
【図５】  本発明、実施例、請求項１の開閉枠の弾力部を柔軟性のある合成樹脂とした斜視図
【図６】  本発明、実施例、請求項１の開閉枠の弾力部をバネとした斜視図
【図７】  本発明の実施例、固定枠および開閉枠を木製等の中通しのウキに穴を設けて挿入、接着して固定した斜視図
【図８】  本発明の実施例、中通しのウキへ直接、ゴムバーを挿入しそこへ開閉枠を差し込み固定した斜視図
【図９】  本発明の実施例、弾力部をバネとした取り付け説明図
【図１０】  本発明の実施例、中通しウキを中空とした場合の取り付け説明図
【図１１】  本発明の実施例、請求項１を仕掛けに取り付けた斜視図
【図１２】  本発明の実施例、請求項１のダンゴを詰めた正面図
【図１３】  本発明の実施例、請求項２のダンゴを詰めた正面図
【図１４】  本発明の実施例、請求項１の着水に向う、その少し手前の状態を示す説明図
【図１５】  本発明の実施例、請求項１の固定枠と開閉枠の間に糸を付けて開閉作用する為の糸通し部を形成した斜視図
【図１６】  本発明の実施例、請求項１の固定枠と開閉枠の間に開閉アームをつけて糸通し部を形成した斜視図
【図１７】  本発明の実施例、請求項２の仕掛けに取り付けた斜視図
【図１８】  本発明の実施例、請求項２の着水に向う、その少し手前の状態を示す説明図
【図１９】  本発明の実施例、請求項１の固定枠の糸通し部を中通しのウキの固定枠側に付けた斜視図
【図２０】  本発明の実施例、請求項１の固定枠と開閉枠の取り付け形態を示す正面図
【図２１】  本発明の実施例、固定枠を単数と開閉枠を複数付けた斜視図
【図２２】  本発明の実施例、開閉枠のみを複数付けた斜視図
【図２３】  本発明の実施例、請求項２の固定枠と開閉枠の間に糸を付けて開閉作用する為の糸通し部を形成した斜視図
【図２４】  本発明の実施例、請求項２の開閉枠と開閉枠の間に開閉アームをつけて糸通し部を形成した斜視図
【図２５】  本発明の実施例、請求項２の開閉枠の取り付け形態を示す斜視図
【符号の説明】
【００２８】  １中通しのウキ、２開閉枠、３固定枠、４糸通し部、５弾力部、６糸、７開閉アーム、８下部ウキ止め、９下部取り付け体、１０バネ弾力部、１１上部ウキ止め、１２道糸、１３シモリ玉、１４元杭、１５ゴム管、１６ゴムバー、１７釣針、１８ダンゴ、１９中通しのウキ上部、２０合成樹脂製弾力部、２１ハリス、２２水面
【図１】
2007117067.tif 000003
【図２】
2007117067.tif 000004
【図３】
2007117067.tif 000005
【図４】
2007117067.tif 000006
【図５】
2007117067.tif 000007
【図６】
2007117067.tif 000008
【図７】
2007117067.tif 000009
【図８】
2007117067.tif 000010
【図９】
2007117067.tif 000011
【図１０】
2007117067.tif 000012
【図１１】
2007117067.tif 000013
【図１２】
2007117067.tif 000014
【図１３】
2007117067.tif 000015
【図１４】
2007117067.tif 000016
【図１５】
2007117067.tif 000017
【図１６】
2007117067.tif 000018
【図１７】
2007117067.tif 000019
【図１８】
2007117067.tif 000020
【図１９】
2007117067.tif 000021
【図２０】
2007117067.tif 000022
【図２１】
2007117067.tif 000023
【図２２】
2007117067.tif 000024
【図２３】
2007117067.tif 000025
【図２４】
2007117067.tif 000026
【図２５】
2007117067.tif 000027